【手続補正書】
【提出日】平成17年1月6日(2005.1.6)
【手続補正１】
【補正対象書類名】明細書
【補正対象項目名】発明の名称
【補正方法】変更
【補正の内容】
【発明の名称】発光装置、電子機器
【手続補正２】
【補正対象書類名】明細書
【補正対象項目名】特許請求の範囲
【補正方法】変更
【補正の内容】
【特許請求の範囲】
【請求項１】
発光素子と昇圧回路を含む画素が設けられており、
前記昇圧回路は、少なくとも１つの容量素子と複数のスイッチを有することを特徴とする発光装置。
【請求項２】
発光素子と昇圧回路を含む画素が設けられており、
前記昇圧回路は、少なくとも１つの容量素子と複数のスイッチを有し、
前記複数のスイッチにより、前記容量素子に電荷が蓄積され、前記容量素子から前記発光素子に電荷が供給されることを特徴とする発光装置。
【請求項３】
発光素子と昇圧回路を含む画素が設けられており、
前記昇圧回路は、容量素子と複数のスイッチを有し、
前記複数のスイッチにより、前記容量素子の電位差が電源電位と同じ電位差になるまで前記容量素子に電荷が蓄積され、前記容量素子の電位差が前記発光素子の発光開始電圧と同じ電位差になるまで前記容量素子から前記発光素子に電荷が供給されることを特徴とする発光装置。
【請求項４】
発光素子と昇圧回路を含む画素が設けられており、
前記昇圧回路は、第１の容量素子、第２の容量素子及び複数のスイッチを有し、
前記複数のスイッチにより、前記第１の容量素子の電位差が電源電位と同じ電位差になるまで前記第１の容量素子に電荷が蓄積され、前記第２の容量素子の電位差が前記電源電位と前記発光素子の発光開始電圧の和と同じ電位差になるまで前記第１の容量素子から前記第２の容量素子に電荷が供給され、前記第２の容量素子の電位差が前記発光素子の発光開始電圧と同じ電位差になるまで前記第２の容量素子から前記発光素子に電荷が供給されることを特徴とする発光装置。
【請求項５】
発光素子と昇圧回路を含む画素が設けられており、
前記昇圧回路は、第１の容量素子、第２の容量素子、第３の容量素子及び複数のスイッチを有し、
前記複数のスイッチにより、前記第１の容量素子の電位差が電源電位と同じ電位差になるまで第１の容量素子に電荷が蓄積され、前記第２の容量素子の電位差が前記電源電位の２倍と同じ電位差になるまで前記第２の容量素子に電荷が蓄積され、前記第２の容量素子の電位差が前記電源電位の２倍の値と前記発光素子の発光開始電圧の和と同じ値になるまで前記第２の容量素子から前記第３の容量素子に電荷が供給され、前記第３の容量素子の電位差が前記発光素子の発光開始電圧と同じ電位差になるまで前記第３の容量素子から前記発光素子に電荷が供給されることを特徴とする発光装置。
【請求項６】
発光素子と昇圧回路を含む画素が設けられており、
前記昇圧回路は、容量素子、第１のスイッチ及び第２のスイッチを有し、
前記第１のスイッチの一方の端子は電源電位に保たれており、前記第１のスイッチの他方の端子は前記容量素子と前記第２のスイッチの一方の端子に接続され、前記第２のスイッチの他方の端子は前記発光素子に接続されていることを特徴とする発光装置。
【請求項７】
発光素子と昇圧回路を含む画素が設けられており、
前記昇圧回路は、容量素子、第１のスイッチ及び第２のスイッチを有し、
前記第１のスイッチの一方の端子は電源電位に保たれており、前記第１のスイッチの他方の端子は前記容量素子と前記第２のスイッチの一方の端子に接続され、前記第２のスイッチの他方の端子は前記発光素子に接続され、
前記第１のスイッチと前記第２のスイッチにより、前記容量素子の電位差が電源電位と同じ電位差になるまで前記容量素子に電荷が蓄積され、前記容量素子の電位差が前記発光素子の発光開始電圧と同じ電位差になるまで前記容量素子から前記発光素子に電荷が供給されることを特徴とする発光装置。
【請求項８】
発光素子と昇圧回路を含む画素が設けられており、
前記昇圧回路は、第１の容量素子、第２の容量素子、第１のスイッチ、第２のスイッチ及び第３のスイッチを有し、
前記第１のスイッチの一方の端子は電源電位に保たれており、前記第１のスイッチの他方の端子は前記第１の容量素子の一方の端子と前記第２のスイッチの一方の端子に接続され、前記第２のスイッチの他方の端子は前記第２の容量素子と前記第３のスイッチの一方の端子に接続され、前記第３のスイッチの他方の端子は前記発光素子に接続され、前記第１の容量素子の他方の端子にはクロック信号が入力されることを特徴とする発光装置。
【請求項９】
発光素子と昇圧回路を含む画素が設けられており、
前記昇圧回路は、第１の容量素子、第２の容量素子、第１のスイッチ、第２のスイッチ及び第３のスイッチを有し、
前記第１のスイッチの一方の端子は電源電位に保たれており、前記第１のスイッチの他方の端子は前記第１の容量素子の一方の端子と前記第２のスイッチの一方の端子に接続され、前記第２のスイッチの他方の端子は前記第２の容量素子と前記第３のスイッチの一方の端子に接続され、前記第３のスイッチの他方の端子は前記発光素子に接続され、前記第１の容量素子の他方の端子にはクロック信号が入力され、
前記第１のスイッチ、前記第２のスイッチ及び前記第３のスイッチにより、前記第１の容量素子の電位差が電源電位と同じ電位差になるまで前記第１の容量素子に電荷が蓄積され、前記第２の容量素子の電位差が前記電源電位と前記発光素子の発光開始電圧の和と同じ電位差になるまで前記第１の容量素子から前記第２の容量素子に電荷が供給され、前記第２の容量素子の電位差が前記発光素子の発光開始電圧と同じ電位差になるまで前記第２の容量素子から前記発光素子に電荷が供給されることを特徴とする発光装置。
【請求項１０】
発光素子と昇圧回路を含む画素が設けられており、
前記昇圧回路は、第１の容量素子、第２の容量素子、第１のスイッチ、第２のスイッチ、第３のスイッチ、第４のスイッチ及び第５のスイッチを有し、
前記第１のスイッチの一方の端子と前記第４のスイッチの一方の端子は電源電位に保たれており、前記第１のスイッチの他方の端子は前記第１の容量素子の一方の端子と前記第２のスイッチの一方の端子に接続され、前記第２のスイッチの他方の端子は前記第２の容量素子の一方の端子と前記第３のスイッチの一方の端子に接続され、前記第３のスイッチの他方の端子は前記発光素子に接続され、前記第４のスイッチの他方の端子は前記第１の容量素子の他方の端子と前記第５のスイッチの一方の端子に接続され、前記第５のスイッチの他方の端子は前記第２の容量素子の他方の端子に接続されていることを特徴とする発光装置。
【請求項１１】
発光素子と昇圧回路を含む画素が設けられており、
前記昇圧回路は、第１の容量素子、第２の容量素子、第１のスイッチ、第２のスイッチ、第３のスイッチ、第４のスイッチ及び第５のスイッチを有し、
前記第１のスイッチの一方の端子と前記第４のスイッチの一方の端子は電源電位に保たれており、前記第１のスイッチの他方の端子は前記第１の容量素子の一方の端子と前記第２のスイッチの一方の端子に接続され、前記第２のスイッチの他方の端子は前記第２の容量素子の一方の端子と前記第３のスイッチの一方の端子に接続され、前記第３のスイッチの他方の端子は前記発光素子に接続され、前記第４のスイッチの他方の端子は前記第１の容量素子の他方の端子と前記第５のスイッチの一方の端子に接続され、前記第５のスイッチの他方の端子は前記第２の容量素子の他方の端子に接続され、
前記第１のスイッチ、前記第２のスイッチ、前記第３のスイッチ、前記第４のスイッチ及び前記第５のスイッチにより、前記第１の容量素子の電位差が電源電位と同じ電位差になるまで前記第１の容量素子に電荷が蓄積され、前記第２の容量素子の電位差が前記電源電位と前記発光素子の発光開始電圧の和と同じ電位差になるまで前記第１の容量素子から前記第２の容量素子に電荷が供給され、前記第２の容量素子の電位差が前記発光素子の発光開始電圧と同じ電位差になるまで前記第２の容量素子から前記発光素子に電荷が供給されることを特徴とする発光装置。
【請求項１２】
発光素子と昇圧回路を含む画素が設けられており、
前記昇圧回路は、第１の容量素子、第２の容量素子、第１のスイッチ、第２のスイッチ、第３のスイッチ、第４のスイッチ及び第５のスイッチを有し、
前記第１のスイッチの一方の端子と前記第４のスイッチの一方の端子は一定の電位に保たれており、前記第１のスイッチの他方の端子は前記第１の容量素子の一方の端子と前記第２のスイッチの一方の端子に接続され、前記第２のスイッチの他方の端子は前記第２の容量素子の一方の端子と前記第３のスイッチの一方の端子に接続され、前記第３のスイッチの他方の端子は前記発光素子に接続され、前記第４のスイッチの他方の端子は前記第１の容量素子の他方の端子と前記第５のスイッチの一方の端子に接続され、前記第５のスイッチの他方の端子と前記第２の容量素子の他方の端子は電源電位に保たれていることを特徴とする発光装置。
【請求項１３】
発光素子と昇圧回路を含む画素が設けられており、
前記昇圧回路は、第１の容量素子、第２の容量素子、第１のスイッチ、第２のスイッチ、第３のスイッチ、第４のスイッチ及び第５のスイッチを有し、
前記第１のスイッチの一方の端子と前記第４のスイッチの一方の端子は一定の電位に保たれており、前記第１のスイッチの他方の端子は前記第１の容量素子の一方の端子と前記第２のスイッチの一方の端子に接続され、前記第２のスイッチの他方の端子は前記第２の容量素子の一方の端子と前記第３のスイッチの一方の端子に接続され、前記第３のスイッチの他方の端子は前記発光素子に接続され、前記第４のスイッチの他方の端子は前記第１の容量素子の他方の端子と前記第５のスイッチの一方の端子に接続され、前記第５のスイッチの他方の端子と前記第２の容量素子の他方の端子は電源電位に保たれており、
前記第１のスイッチ、前記第２のスイッチ、前記第３のスイッチ、前記第４のスイッチ及び前記第５のスイッチにより、前記第１の容量素子の電位差が電源電位と同じ電位差になるまで前記第１の容量素子に電荷が蓄積され、前記第２の容量素子の電位差が前記電源電位と前記発光素子の発光開始電圧の和と同じ電位差になるまで前記第１の容量素子から前記第２の容量素子に電荷が供給され、前記第２の容量素子の電位差が前記発光素子の発光開始電圧と同じ電位差になるまで前記第２の容量素子から前記発光素子に電荷が供給されることを特徴とする発光装置。
【請求項１４】
発光素子と昇圧回路を含む画素が設けられており、
前記昇圧回路は、第１の容量素子、第２の容量素子、第３の容量素子、第１のスイッチ、第２のスイッチ、第３のスイッチ、第４のスイッチ、第５のスイッチ、第６のスイッチ、第７のスイッチ及び第８のスイッチを有し、
前記第１のスイッチの一方の端子と前記第５のスイッチの一方の端子と前記第６のスイッチの一方の端子は電源電位に保たれており、前記第１のスイッチの他方の端子は前記第１の容量素子の一方の端子と前記第２のスイッチの一方の端子に接続され、前記第２のスイッチの他方の端子は前記第２の容量素子の一方の端子と前記第３のスイッチの一方の端子に接続され、前記第３のスイッチの他方の端子は前記第３の容量素子の一方の端子と前記第４のスイッチの一方の端子に接続され、前記第４のスイッチの他方の端子は前記発光素子に接続され、前記第５のスイッチの他方の端子は前記第１の容量素子の他方の端子と前記第８のスイッチの一方の端子に接続され、前記第６のスイッチの他方の端子は前記第２の容量素子の他方の端子と前記第７のスイッチの一方の端子に接続され、前記第７のスイッチの他方の端子は前記第３の容量素子の他方の端子と前記第８のスイッチの他方の端子に接続されていることを特徴とする発光装置。
【請求項１５】
発光素子と昇圧回路を含む画素が設けられており、
前記昇圧回路は、第１の容量素子、第２の容量素子、第３の容量素子、第１のスイッチ、第２のスイッチ、第３のスイッチ、第４のスイッチ、第５のスイッチ、第６のスイッチ、第７のスイッチ及び第８のスイッチを有し、
前記第１のスイッチの一方の端子と前記第５のスイッチの一方の端子と前記第６のスイッチの一方の端子は電源電位に保たれており、前記第１のスイッチの他方の端子は前記第１の容量素子の一方の端子と前記第２のスイッチの一方の端子に接続され、前記第２のスイッチの他方の端子は前記第２の容量素子の一方の端子と前記第３のスイッチの一方の端子に接続され、前記第３のスイッチの他方の端子は前記第３の容量素子の一方の端子と前記第４のスイッチの一方の端子に接続され、前記第４のスイッチの他方の端子は前記発光素子に接続され、前記第５のスイッチの他方の端子は前記第１の容量素子の他方の端子と前記第８のスイッチの一方の端子に接続され、前記第６のスイッチの他方の端子は前記第２の容量素子の他方の端子と前記第７のスイッチの一方の端子に接続され、前記第７のスイッチの他方の端子は前記第３の容量素子の他方の端子と前記第８のスイッチの他方の端子に接続され、
前記第１のスイッチ、前記第２のスイッチ、前記第３のスイッチ、前記第４のスイッチ、前記第５のスイッチ、前記第６のスイッチ、前記第７のスイッチ及び前記第８のスイッチにより、前記第１の容量素子の電位差が電源電位と同じ電位差になるまで第１の容量素子に電荷が蓄積され、前記第２の容量素子の電位差が前記電源電位の２倍と同じ電位差になるまで前記第２の容量素子に電荷が蓄積され、前記第２の容量素子の電位差が前記電源電位の２倍の値と前記発光素子の発光開始電圧の和と同じ値になるまで前記第２の容量素子から前記第３の容量素子に電荷が供給され、前記第３の容量素子の電位差が前記発光素子の発光開始電圧と同じ電位差になるまで前記第３の容量素子から前記発光素子に電荷が供給されることを特徴とする発光装置。
【請求項１６】
請求項３、請求項６又は請求項７のいずれか一項において、
前記容量素子から前記発光素子に供給される電荷Ａ、前記容量素子の比例係数Ｃ、前記電源電位Ｖdd、前記発光開始電圧Ｖthは、Ａ＝Ｃ×（Ｖdd−Ｖth）を満たすことを特徴とする発光装置。
【請求項１７】
請求項４又は請求項８乃至請求項１３のいずれか一項において、
前記第２の容量素子から前記発光素子に供給される電荷Ａ、前記第１の容量素子の比例定数Ｃ1及び電位差Ｖ1、前記第２の容量素子の比例定数Ｃ2及び電位差Ｖ2、前記電源電位Ｖdd、前記発光開始電圧Ｖthは、Ａ＝Ｃ2×｛（２×Ｃ1×Ｖdd）／（Ｃ1+Ｃ2）−（Ｃ1×Ｖth）／（Ｃ1+Ｃ2）｝を満たすことを特徴とする発光装置。
【請求項１８】
請求項５、請求項１４又は請求項１５のいずれか一項において、
前記第３の容量素子から前記発光素子に供給される電荷Ａ、前記第１の容量素子の比例定数Ｃ1及び電位差Ｖ1、前記第２の容量素子の比例定数Ｃ2及び電位差Ｖ2、前記電源電位Ｖdd、前記発光開始電圧Ｖthは、Ａ＝Ｃ2×｛（３×Ｃ1×Ｖdd）／（Ｃ1+Ｃ2）−（Ｃ1×Ｖth）／（Ｃ1+Ｃ2）｝を満たすことを特徴とする発光装置。
【請求項１９】
請求項１乃至請求項５のいずれか一項において、
前記複数のスイッチの各々は、トランジスタであることを特徴とする発光装置。
【請求項２０】
請求項１乃至請求項５のいずれか一項において、
前記複数のスイッチの各々は、同じ導電型のトランジスタであることを特徴とする発光装置。
【請求項２１】
請求項６又は請求項７において、
前記第１のスイッチと前記第２のスイッチの各々は、トランジスタであることを特徴とする発光装置。
【請求項２２】
請求項６又は請求項７において、
前記第１のスイッチと前記第２のスイッチの各々は、同じ導電型のトランジスタであることを特徴とする発光装置。
【請求項２３】
請求項８又は請求項９において、
前記第１のスイッチ、前記第２のスイッチ及び前記第３のスイッチの各々は、トランジスタであることを特徴とする発光装置。
【請求項２４】
請求項８又は請求項９において、
前記第１のスイッチ、前記第２のスイッチ及び前記第３のスイッチの各々は、同じ導電型のトランジスタであることを特徴とする発光装置。
【請求項２５】
請求項１０乃至請求項１３のいずれか一項において、
前記第１のスイッチ、前記第２のスイッチ、前記第３のスイッチ、前記第４のスイッチ及び前記第５のスイッチの各々は、トランジスタであることを特徴とする発光装置。
【請求項２６】
請求項１０乃至請求項１３のいずれか一項において、
前記第１のスイッチ、前記第２のスイッチ、前記第３のスイッチ、前記第４のスイッチ及び前記第５のスイッチの各々は、同じ導電型のトランジスタであることを特徴とする発光装置。
【請求項２７】
請求項１４又は請求項１５において、
前記第１のスイッチ、前記第２のスイッチ、前記第３のスイッチ、前記第４のスイッチ、前記第５のスイッチ、前記第６のスイッチ、前記第７のスイッチ及び前記第８のスイッチの各々は、トランジスタであることを特徴とする発光装置。
【請求項２８】
請求項１４又は請求項１５において、
前記第１のスイッチ、前記第２のスイッチ、前記第３のスイッチ、前記第４のスイッチ、前記第５のスイッチ、前記第６のスイッチ、前記第７のスイッチ及び前記第８のスイッチの各々は、同じ導電型のトランジスタであることを特徴とする発光装置。
【請求項２９】
請求項１乃至請求項２８のいずれか一項において、
前記画素は、前記画素に対する映像信号の入力を制御する第９のスイッチ、前記発光素子と前記昇圧回路の導通を制御する第１０のスイッチ及び前記映像信号を保持する第４の容量素子を有することを特徴とする発光装置。
【請求項３０】
請求項１乃至請求項２８のいずれか一項において、
前記画素は、前記画素に対する映像信号の入力を制御する第９のスイッチ、前記発光素子と前記昇圧回路の導通を制御する第１０のスイッチ及び前記映像信号を保持する第４の容量素子を有し、
前記第９のスイッチの一方の端子は信号線に接続され、前記第９のスイッチの他方の端子は前記第４の容量素子の一方の端子に接続され、前記第１０のスイッチの一方の端子は前記発光素子に接続され、前記第１０のスイッチの他方の端子は前記昇圧回路に接続され、前記第４の容量素子の他方の端子は前記電源電位に保たれていることを特徴とする発光装置。
【請求項３１】
請求項２９又は請求項３０において、
前記第９のスイッチと前記第１０のスイッチの各々は、トランジスタであることを特徴とする発光装置。
【請求項３２】
請求項２９又は請求項３０において、
前記第９のスイッチと前記第１０のスイッチの各々は、同じ導電型のトランジスタであることを特徴とする発光装置。
【請求項３３】
請求項１乃至請求項２８のいずれか一項において、
前記画素は、前記画素に対する映像信号の入力を制御する第９のスイッチ、前記発光素子と前記昇圧回路の導通を制御する第１０のスイッチ、前記映像信号を保持する第４の容量素子及び前記第４の容量素子に保持された電荷の放電を制御する第１１のスイッチを有することを特徴とする発光装置。
【請求項３４】
請求項１乃至請求項２８のいずれか一項において、
前記画素は、前記画素に対する映像信号の入力を制御する第９のスイッチ、前記映像信号により導通が制御される第１０のスイッチ、前記映像信号を保持する第４の容量素子及び前記第４の容量素子に保持された電荷の放電を制御する第１１のスイッチを有し、
前記第９のスイッチの一方の端子は信号線に接続され、前記第９のスイッチの他方の端子は前記第１１のスイッチの一方の端子と前記容量素子の一方の端子に接続され、前記第１０のスイッチの一方の端子は前記発光素子に接続され、前記第１０のスイッチの他方の端子は前記昇圧回路に接続され、前記第１１のスイッチの他方の端子と前記容量素子の他方の端子は前記電源電位に保たれていることを特徴とする発光装置。
【請求項３５】
請求項３３又は請求項３４において、
前記第９のスイッチ、前記第１０のスイッチ及び前記第１１のスイッチの各々は、トランジスタであることを特徴とする発光装置。
【請求項３６】
請求項３３又は請求項３４において、
前記第９のスイッチ、前記第１０のスイッチ及び前記第１１のスイッチの各々は、同じ導電型のトランジスタであることを特徴とする発光装置。
【請求項３７】
請求項１乃至請求項３６のいずれか一項において、
前記発光素子は、画素電極、発光層及び対向電極が順に積層して設けられており、
前記発光素子から発せられる光は、前記対向電極の方向に出射されることを特徴とする発光装置。
【請求項３８】
請求項１乃至請求項３７のいずれか一項に記載の前記発光装置を用いた電子機器。
【手続補正３】
【補正対象書類名】明細書
【補正対象項目名】００４４
【補正方法】変更
【補正の内容】
【００４４】
容量素子１１８、１１９の両電極間の電位差V1とV2を足した値は、電源線１２３の電位に等しいことから、以下の式（７）が成立する。